(57)【要約】【課題】操作が簡単で、生体内測定部位との対応がとりやすい血流像の表示方法とその表示装置。【解決手段】二次元に配列した振動子を有する超音波探触子により送信器および受信器を介し超音波信号を生体内の血流部分に送波し、受波した超音波信号をドプラー解析回路により血流像に変換し、超音波探触子の背面に血流像を表示する。また、血流像の表示装置は二次元に配列した振動子を有する超音波探触子と、生体内の血流部分への超音波信号の送信器および反射する超音波信号の受信器と、受波した超音波信号を血流像に変換するドプラー解析回路と、超音波探触子の背面に設けた血流像の表示部とからなる。【効果】超音波探触子をあてた直下の血流情報を得ることができるので、診断において非常に理解しやすい。また、装置自体複雑になることがなく操作が簡単である。【選択図】　　　　図２
2004057532.tif 000002
【特許請求の範囲】
【請求項１】
二次元に配列した振動子を有する超音波探触子により送信器および受信器を介し超音波信号を生体内の血流部分に送波し、受波した超音波信号をドプラー解析回路により血流像に変換し、超音波探触子の背面に血流像を表示することからなる血流像の表示方法。
【請求項２】
二次元に配列した振動子を有する超音波探触子と、生体内の血流部分への超音波信号の送信器および反射する超音波信号の受信器と、受波した超音波信号を血流像に変換するドプラー解析回路と、超音波探触子の背面に設けた血流像の表示部とからなる血流像の表示装置。
【発明の詳細な説明】
【０００１】
【発明の属する技術分野】
本発明は生体内の血流像の表示方法とその表示装置に関する。
【０００２】
【従来の技術】
近年、生活様式や高齢化にともない成人病の罹患率が増加しており、成人病は心疾患、脳梗塞、癌の３大疾患とよばれているもので占められている。この中でも心疾患の罹患率が高く、心疾患は発症から死にいたるまでの時間が短いので、自覚症状のない早期における診断と早期治療が望まれている。
【０００３】
心疾患の診断においては心腔内の血流の異常を速やかに把握することが重要である。そのためＸ線による心腔内造影法や超音波による画像診断法が広くおこなわれている。
【０００４】
しかしながら、前者の造影法は心臓全体を把握するには好都合であるが、受診者に負担をかけるだけでなく、装置自体も非常に大きく汎用とは云いがたい。また、後者の超音波法は受診者への侵襲も少なく、手軽であるが、操作に熟練が必要であることと、一断層の二次元の情報しか得られないという問題がある。さらに、前者は受診者における臓器との位置関係がわかりやすいのに対し、後者は視野が狭いため、臓器と画像情報との対応に経験を要するという問題がある。
【０００５】
後者に関連して、特開平１１−２２６０１６号によればＭ×Ｎ個を二次元に配列した超音波連続波探触子の配列面を人体の皮膚に接触させ、各超音波探触子が感知した超音波のドプラ−効果から血流速度を演算し、各超音波探触子の配列パタ−ンを表示画面に対応させ、各血流速度を色調ならびにその濃淡で心電図とともに、あるいは単独で表示画面に表示する健康診断用の超音波による血流速度計測装置が提案されているが、本体および表示画面がその大きさゆえに超音波探触子から離れた位置に設置されるので、超音波探触子の人体における位置を逐一照合しながら表示画面を見るという煩わしさがある。
【０００６】
【発明が解決しようとする課題】
本発明は従来からの課題に鑑みてなされたもので、受診者に負担をかけず、検査者の熟練の必要がなく、しかも受診者の臓器との対応がとりやすい血流像の表示方法とその表示装置を提供せんとするものである。
【０００７】
【課題を解決するための手段】
ここにおいて本発明者は、二次元に配列した振動子を有する超音波探触子により送信器および受信器を介し超音波信号を生体内の血流部分に送波し、受波した超音波信号をドプラー解析回路により血流像に変換し、超音波探触子の背面に血流像を表示することからなる血流像の表示方法を見出すにいたった。
【０００８】
また、二次元に配列した振動子を有する超音波探触子と、生体内の血流部分への超音波信号の送信器および反射する超音波信号の受信器と、受波した超音波信号を血流像に変換するドプラー解析回路と、超音波探触子の背面に設けた血流像の表示部とからなる血流像の表示装置を見出すにいたった。
【０００９】
以上のように、超音波探触子の背面に液晶表示器により血流像を表示すると、探触子直下の関心ある部位を物理的に直接観察することができるのできわめて好都合である。
【００１０】
【発明の実施の形態】
本発明は二次元に配列した振動子を有する超音波探触子１により、送信器および受信器を介し、超音波信号を生体内の血流部分に送波し、受波した体腔内の透過的な三次元情報を、単純なドプラー解析回路により超音波探触子１直下の生態情報である血流像を超音波探触子１の背面に設けた小型のカラー液晶表示器の画面に表示するので、超音波探触子１直下の生態情報が画面に表示されることになり、超音波探触子１と血流像との対応がつけられるので、検査者は受診者の臓器における血流情報を把握しやすい。
【００１１】
超音波探触子１を手で持つため、画像表示部２はこれよりも多少小さめのほうが使いやすい。たとえば、超音波探触子１の直径が７０ｍｍφの場合、画像表示部２は２〜２．５　インチ（対角５０．８〜６３．５ｍｍ）が適当であるが、超音波探触子１として使いやすい直径５０〜６０ｍｍφの場合は画像表示部２がさらに小さくなる。
【００１２】
血流像を表示するための装置は二次元に配列した振動子を有する超音波探触子１と、生体内の血流部分への超音波信号の送信器および反射する超音波信号の受信器と、受波した超音波信号を血流像に変換するドプラー解析回路と、超音波探触子の背面に設けた血流像の表示部とからなる。
【００１３】
すなわち、図１に示すごとく、血流像の表示装置において発振回路から送信回路を経て振動子から送信された超音波が、血流に反射して振動子に戻り、受信回路により受信された超音波が、検波回路とＦＦＴ回路および表示制御回路を経て表示部に血流像として表示される。なお、血流像の表示装置全体がコントロール回路で制御されている。
【００１４】
発振回路では使用する超音波およびシステムの基本発信をおこない、送信回路では振動子を駆動する。振動子は受診者の体内に超音波を送信し、その結果、受診者の体内から反射してきた超音波を受信回路で受信して、受信した信号の増幅をおこなう。
【００１５】
受信回路を経て増幅された信号のうち、ドプラー効果による周波数の変位部分をＡＭ検波またはＦＭ検波により選択する。さらに、ＦＦＴ回路（高速フーリエ演算回路）により変移周波数を算出し血流速度を求める。したがって、ここにおける検波回路とＦＦＴ回路を合わせてドプラー解析回路と一般に指称されている。また、表示制御回路は表示方法の制御をおこない、液晶表示器による画像表示部２は検査者に対し血流像の表示をおこなう。
【００１６】
血流像の表示において血流速度を段階的に色調で表示するので、相対的な血流速度の変化が簡単に見分けられる。そのことにより、心腔内の高速異常血流から弁膜症はもとより、他の部位の血管における閉塞状態をも発見することができる。また、超音波探触子１の真上に画像表示部２があることから、異常な部位の把握が容易である。
【００１７】
図２に超音波探触子１の表側に画像表示部２を一体に設けたものを示してある。これが図３に示すごとくケーブル４を介して血流像表示装置本体３に接続している。
【００１８】
【発明の効果】
本発明による血流像の表示装置は超音波探触子をあてた直下の血流情報を得ることができるので、あたかも体内が透けて見えるがごとく、診断において視覚的にも感覚的にも非常に理解しやすい装置である。また、動作原理が簡易であるため、装置自体複雑になることがなく操作が簡単である。
【図面の簡単な説明】
【図１】血流像表示装置の系統を示すブロック図
【図２】（ａ）は超音波探触子、（ｃ）は画像表示部、（ｂ）はこれらを一体にした側面をそれぞれ示す図
【図３】血流像表示装置全体の概略図
【符号の説明】
１　超音波探触子
２　画像表示部
３　血流像表示装置本体
４　ケーブル
【図１】
2004057532.tif 000003
【図２】
2004057532.tif 000004
【図３】
2004057532.tif 000005